【事件の表示】
　特許第２９０５７７２号「遊技部品」の請求項１ないし３に係る発明の特許に対する特許異議の申立てについて、次のとおり決定する。
【結　論】
　訂正を認める。
　特許第２９０５７７２号の請求項１ないし３に係る発明の特許を維持する。
【理　由】
１．手続の経緯
  本件特許第２９０５７７２号の請求項１ないし３に係る発明は、平成１０年４月１４日に特許出願され、平成１１年３月２６日に設定登録された。その後、平成１１年１２月１４日に町田彬より特許異議の申立てがあり、これを受けて平成１２年４月１１日付け取消理由通知がなされ、平成１２年６月２１日付け訂正請求がなされた。
２．訂正の内容とその適否について
（１）訂正の内容
イ．特許請求の範囲の訂正
「【請求項１】遊技盤等の所要部材(5) に圧入により装着される遊技部品であって、前記所要部材(5) に前側から圧入される基部(23)と、該基部(23)側に前側から着脱自在に装着された表層部(24)とを備え、前記基部(23)内に、該基部(23)を前記所要部材(5) に装着した状態で前側から交換可能に内部部品(37)を設けたことを特徴とする遊技部品。」を、
「【請求項１】遊技盤等の所要部材(5) に圧入により装着される遊技部品であって、前記所要部材(5) に前側から圧入される基部(23)と、該基部(23)側に前側から着脱自在に装着された表層部(24)とを備え、前記基部(23)内に、該基部(23)を前記所要部材(5) に装着した状態で前側から交換可能に内部部品(37)を設け、前記基部(23)は、前側が開放し且つ前記所要部材(5)の装着孔(22)に前側から嵌合される略有底円筒状の嵌合胴部(28)と、該嵌合胴部(28)の前端側の外周に一体に形成され且つ前記所要部材(5)の前面に当接される当接板(29)とを備え、前記表層部(24)は、前記当接板(29)に前側から当接して着脱自在に固定される前飾り板(43)を備え、前記内部部品(37)は、前記嵌合胴部(28)内の後端側の基板(36)に前側から着脱自在であることを特徴とする遊技部品。」と訂正する。
ロ．発明の詳細な説明の欄の訂正
（訂正事項１）
「【００１３】
【課題を解決するための手段】
　本発明は、遊技盤等の所要部材5に圧入により装着される遊技部品であって、前記所要部材5に前側から圧入される基部23と、該基部23側に前側から着脱自在に装着された表層部24とを備え、前記基部23内に、該基部23を前記所要部材5に装着した状態で前側から交換可能に内部部品37を設けている。」を、
「【００１３】
【課題を解決するための手段】
　本発明は、遊技盤等の所要部材5に圧入により装着される遊技部品であって、前記所要部材5に前側から圧入される基部23と、該基部23側に前側から着脱自在に装着された表層部24とを備え、前記基部23内に、該基部23を前記所要部材5に装着した状態で前側から交換可能に内部部品37を設け、前記基部23は、前側が開放し且つ前記所要部材5の装着孔22に前側から嵌合される略有底円筒状の嵌合胴部28と、該嵌合胴部28の前端側の外周に一体に形成され且つ前記所要部材5の前面に当接される当接板29とを備え、前記表層部24は、前記当接板29に前側から当接して着脱自在に固定される前飾り板43を備え、前記内部部品37は、前記嵌合胴部28内の後端側の基板36に前側から着脱自在である。」と訂正する。
（訂正事項２）
「【００１９】
　ランプ風車20は、図２乃至図７に示すように、遊技盤5に対する取り付け部となる基部23側と、この基部23に前側から着脱自在に装着される表層部24とを備え、基部23が遊技盤5 の装着孔22に前側から圧入によって着脱自在装着されている。」を、
「【００１９】
　ランプ風車20は、図２乃至図７に示すように、遊技盤5に対する取り付け部となる基部23側と、この基部23に前側から着脱自在に装着される表層部24とを備え、基部23が遊技盤5の装着孔22に前側から圧入によって着脱自在に装着されている。」と訂正する。
（２）訂正の目的の適否及び拡張・変更の存否
　上記特許請求の範囲の訂正内容は、特許明細書及び図面に記載された事項の範囲内であり、かつ特許請求の範囲の減縮に該当し、実質的に特許請求の範囲を拡張・変更するものではない。
　また、同時になされた発明の詳細な説明の欄の訂正内容は、特許明細書及び図面に記載された事項の範囲内であって、上記特許請求の範囲の訂正内容との整合性を図るべく明瞭でない記載の釈明を目的とし、実質上特許請求の範囲を拡張・変更するものではない。
（３）独立特許要件の判断
（３−１）訂正明細書の発明
　訂正明細書の請求項１ないし３に係る発明（以下、第１発明ないし第３発明という）は、訂正明細書の特許請求の範囲の請求項１ないし３に記載された次の事項により特定されるものである。
「【請求項１】遊技盤等の所要部材(5) に圧入により装着される遊技部品であって、前記所要部材(5) に前側から圧入される基部(23)と、該基部(23)側に前側から着脱自在に装着された表層部(24)とを備え、前記基部(23)内に、該基部(23)を前記所要部材(5) に装着した状態で前側から交換可能に内部部品(37)を設け、前記基部(23)は、前側が開放し且つ前記所要部材(5)の装着孔(22)に前側から嵌合される略有底円筒状の嵌合胴部(28)と、該嵌合胴部(28)の前端側の外周に一体に形成され且つ前記所要部材(5)の前面に当接される当接板(29)とを備え、前記表層部(24)は、前記当接板(29)に前側から当接して着脱自在に固定される前飾り板(43)を備え、前記内部部品(37)は、前記嵌合胴部(28)内の後端側の基板(36)に前側から着脱自在であることを特徴とする遊技部品。
【請求項２】前記基部(23)側に、遊技盤(5) の装着孔(22)に嵌合し且つ内側に前記内部部品(37)が前側から組み込まれた嵌合胴部(28)と、該嵌合胴部(28)の外周側に突出し且つ該嵌合胴部(28)の内外方向に弾性変形可能な周方向に複数個の圧入爪(30)とを備えたことを特徴とする請求項１に記載の遊技部品。
【請求項３】前記基部(23)が前記所要部材(5) に対して前側から着脱自在であることを特徴とする請求項１又は２に記載の遊技部品。」
（３−２）引用刊行物記載の発明
　本件第１発明ないし第３発明に対し、当審が先の取消理由通知書にて示した本件特許の出願日前に頒布された刊行物である実願平４−３０４７３号（実開平６−１７７８３号）の全文マイクロフィルム（以下、引用例１という）、及び特開平７−１９４７７５号公報（以下、引用例２という）には、それぞれ以下の発明が記載されている。
（引用例１）
「【０００４】本考案は、上記の課題を解決するために成されたものであり、その目的とするところは．ランプ交換を容易としたランプ付き風車を提供することである。」
「【０００７】・・・ランプ付き風車１００は、前面側から主として、風車軸１５、風車１１、風車取付台１３、風車基台２１及びランプ２３が配設されたプリント基板２５とから構成されている。
　風車１１には、前面及び側面の意匠として星型形状である風車羽根１１ａ及びその回転中心に軸孔ｌ１ｂが形成されている。
　又、風車取付台１３には、その外周側面の上下に係合突部１３ａ及び上下に２つの係合片１３ｂ、そして、上記風車１１の軸孔ｌ１ｂ端面に対向する端面を有した軸孔１３ｃが形成されている。
　風車基台２１には、上記風車取付台１３の外周側面に形成された係合突部１３ａに対応し、その内周面の４か所に係合支持部である係合突起２１ａ及び上右に各１つの係合片２１ｃが形成されている。
　そして、プリント基板２５には左右２組のランプピン２７が植設され、その１組のランプピン２７にシリコンゴムから成るソケットに嵌装されたランプ２３が挿嵌され電気的に接続されている。」
「【０００８】次に、上述の構成から成るランプ付き風車１００の組立手順について述べる。
　上記風車１１の軸孔ｌ１ｂと上記風車取付台１３の軸孔１３ｃを一致させ、風車１１側からそれら軸孔１１ｂ、１３ｃに風車軸１５が挿入される。その風車軸１５は風車取付台１３の軸受部１３ｄの後方端面側でＥリング１７にて固定抜け止めされる。
　このように、風車軸１５とＥリング１７とにより風車１１及び風車取付台１３が組み立て一体化され組立体１０が完成される。
　一方、プリント基板２５に植設された左右２組のランプピン２７の各極性同士がプリント基板２５上で電気的に接続され、各極性に対応させたり一ド線２９がはんだ付仇こより接続される。次に、２組のランプピン２７にそれぞれランプ２３が挿嵌され電気的に接続される。
　そして、ランプ２３が配設されたプリント基板２５の係合切欠２５ａを利用し、風車基台２１の左右の係合片２１ｃにプリント基板２５が係合支持される。
　このように、ランプ２３を含むプリント基板２５と風車基台２１とが組み立て一体化され組立体２０が完成される。」
「【０００９】次に、一体化された組立体１０における風車取付台１３の係合突部１３ａ及び係合片１３ｂを、一体化された組立体２０における風車基台２１の係合突起２１ａ及び係合切欠２１ｂに相対させる状態で組み立てられる。
　この時、風車取付台１３のＵ字型形状部１３ｅにランプ２３の先端部分を臨ませるようにすることで、組立体１０と組立体２０との組立状態におけるおおよその相対位置が決定される。
　そして、組立体１０を組立体２０に挿嵌することにより、その最終端で風車取付台１３の係合突部１３ａ及び係合片１３ｂが風車基台２１の係合突起２１ａ及び係合切欠２１ｂにそれぞれ係合され、ランプ付き風車１００の組立が完了する。
　この後、ランプ付き風車１００は、パチンコ機の遊技盤５０に設けられた所定の穴５１に風車基台２１の円筒部分が挿入され、その左右の取付穴２１ｄを介して木ネジ５５にてネジ止め組み付けられる。」
「【００１０】次に、本発明のランプ付き風車１００において、少なくとも一方のランプ２３が点灯しなくなり交換する場合について述べる。先ず、パチンコ機の遊技盤５０の前面を覆っているガラス扉を開ける。
　次に、ランプ付き風車１００の風車１１の風車羽根１１ａ（側面部分）を摘んで手前に引く。すると、風車軸１５を介して風車１１と一体化された風車取付台１３の係合突部１３ａ及び係合片１３ｂはパチンコ機の遊技盤５０に木ネジ５５にてネジ止め固定された風車基台２１の係合突起２１ａ及び係合切欠２１ｂとのそれぞれの係合を解除される。
　この作業により、組立体１０を組立体２０から分離でき、パチンコ機の遊技盤５０にはネジ止めされた組立体２０だけが残った状態となる。
　この状態において、ランプ２３の先端部分は風車基台２１の中央凹部から前面に飛び出し露出している。
　従って、交換すべきランプ２３の先端部分を摘んでプリント基板２５のランプピン２７から取り外し、新しいランプ２３を逆の作業手順によりプリント基板２５のランプピン２７に取り付けることができる。」
（引用例２）
「【０００８】【作用】上記構成によれば、板面突出部品の取り付け基板への取り付けにあっては、まず、板面突出部品が取り付け基板の挿入凹部に挿入される。板面突出部品の所定回動位置では、板面突出部品の弾性変形部が回動阻止部に係止される。板面突出部品を軸回りに回動して弾性変形部を回動阻止部から離脱する場合、弾性変形部の外径が変更され、この変更に伴い弾性変形部の付勢力が増大される。この弾性変形部の付勢力増大によって、板面突出部品の回動が阻止される。また、板面突出部品の所定回動位置では、軸方向移動阻止手段によって、板面突出部品の軸方向の移動が阻止され、板面突出部品は抜去できない状態となる。」
「【０００９】従って、板面突出部品の挿入凹部への挿入抜去操作、板面突出部品の挿入凹部での回動操作だけで、板面突出部品の着脱を行うことができ、板面突出部品の着脱が容易となり、同時に、板面突出部品の取り付け位置が精度よく得られる。」
「【００１９】次に、第２実施例を図３及び図４に基づき説明する。第２実施例の板面突出部品は、風車部品とされ、図３には、風車を省略した風車支持体４０が示されている。弾性変形部は、遊技機前方の端部に風車支持用の大径頭部４４を一体に有する筒体４２に設けられた弾性片４６とされ、弾性片４６は、半径方向両側に一対対向位置する。各弾性片４６は、半径方向から見て矩形とされて筒体４２と一体形成され、弾性片４６の支持部４４と反対側の辺部が筒体４２と連接され、他の３つの辺部が筒体４２と寸断されている。また、弾性片４６は、支持部４４側の辺部（先端部）に向けて次第に肉厚となってテーパ状とされ、筒体４２の外径より大きな外径とされるとともに、その肉厚となった弾性片４６の先端部には段差４８が形成されている。」
「【００２０】一方、図４（Ａ）、図４（Ｂ）に示すように、遊技機の取り付け基板５０に形成される挿入凹部は、筒体４２に対応する円筒形状の挿入孔５２とされ、回動阻止部は、挿入孔５２の内周壁に凹設され、軸方向から見て円弧状の阻止孔５４とされる。阻止孔５４は、軸方向から見て左右両側に一対配置され、挿入孔５２の軸方向中間部から、取り付け基板５０背面へ連通する。」
「【００２１】図４（Ｃ）に示すように、まず、筒体４２を挿入孔５２へ挿入し、所定回動位置まで軸回りに回動すると（弾性片４６は挿入に伴い、筒体４２内へ引っ込むように弾性変形して縮径し、そして縮径した状態で筒体４２と共に回動する）、図４（Ｄ）に示すように、弾性片４６が阻止孔５４へ係止され、弾性片４６は、拡径方向に復帰変形される。」
「【００２２】この弾性片４６を阻止孔５４から離脱するには、弾性片４６を縮径する必要があり、これに伴う弾性片４６の付勢力増大によって、筒体４２の回動が阻止される。」
（３−３）対比判断
　上記引用例１記載の構成要素である遊技盤５０は本件発明の所要部材（５）に対応相当し、以下、風車基台１は基部（２３）及び嵌合胴部（２８）に、風車１１及び風車取付台１３は表層部（２４）に、ランプ２３は内部部品（３７）にそれぞれ対応相当し、また、引用例２記載の構成要素である筒体４２及び弾性片４６は、それぞれ本件発明の構成要素である嵌合胴部（２８）及び圧入爪（３０）に対応相当する。
　そこで、本件第１発明と引用例１及び２に記載の発明とを対比すると、上記各構成要素の対応関係から見て、各引用例には本件第１発明の「遊技盤等の所要部材に圧入により装着される遊技部品であって、前記所要部材に前側から圧入される基部と、該基部側に前側から着脱自在に装着された表層部とを備え、前記基部内に、該基部を前記所要部材に装着した状態で前側から交換可能に内部部品を設け」る構成の開示があるに止まり、本件第１発明で特定する「基部は、前側が開放し且つ所要部材の装着孔に前側から嵌合される略有底円筒状の嵌合胴部と、該嵌合胴部の前端側の外周に一体に形成され且つ前記所要部材の前面に当接される当接板とを備え、前記表層部は、前記当接板に前側から当接して着脱自在に固定される前飾り板を備え、前記内部部品は、前記嵌合胴部内の後端側の基板に前側から着脱自在である」とする構成の開示はなく、またそれを示唆する記載もない。
そして本件第１発明は、この構成によって各引用例記載の発明にはない明細書記載の格別の効果を奏するものと認めるから、各引用例記載の発明から容易になし得たものとすることはできない。
　また、第２発明ないし第３発明は、いずれも第１発明を引用する従属発明であるから、上記各刊行物記載の発明から容易になし得たものとすることはできない。
　したがって、本件第１発明ないし第３発明は、いずれも特許出願の際独立して特許を受けることができるものである。
（４）むすび
　以上のとおり、上記訂正の内容は特許法第１２０条の４第２項及び同条第３項で準用する同法第１２６条第２ないし４項の規定に適合するから、当該訂正請求を認める。
３．特許異議の申立てについての判断
（１）申立て理由の概要
  申立人町田彬は、本件特許の請求項１に係る発明は、本件特許の出願日前に頒布された甲第１号証に記載された発明であるから、特許法第２９条第１項第３号の規定に違反し、また請求項２ないし３に係る発明は、甲第１号証ないし甲第４号証に記載された発明から容易に発明し得たものであるから、特許法第２９条第２項の規定に違反して特許されたものである。したがって、本件特許は同法第１１３条第１項第２号の規定により取り消されるべきである旨主張している。
（２）訂正後の本件請求項１ないし３に係る発明
　本件特許の請求項１ないし３に係る発明（以下、本件第１発明ないし第３発明という）は、訂正明細書の特許請求の範囲の請求項１ないし３に記載されたとおりのものである（前記２．（３−１）訂正明細書の発明参照）。
（３）証拠及び対比・判断
　申立人町田彬が提出した甲第１号証は、当審による先の取消理由の引用例１であり、甲第３号証は同引用例２である。そして、前記２．（３）独立特許要件で示したように、本件第１ないし第３発明は、甲第１号証及び甲第３号証記載の発明であるとも、またこれらの発明から容易になし得たとすることはできない。
　また、甲第２号証（特開平５−３０９１５９号公報）及び甲第４号証（実願昭６１−６６９０９号（実開昭６２−１８０４８４号）の全文マイクロフィルム）には、遊技盤に装着する遊技部品であるランプ及び入賞具を着脱自在に圧入する取り付け方法に関する発明が記載されているが、本件第１発明で特定する「基部は、前側が開放し且つ所要部材の装着孔に前側から嵌合される略有底円筒状の嵌合胴部と、該嵌合胴部の前端側の外周に一体に形成され且つ前記所要部材の前面に当接される当接板とを備え、前記表層部は、前記当接板に前側から当接して着脱自在に固定される前飾り板を備え、前記内部部品は、前記嵌合胴部内の後端側の基板に前側から着脱自在である」とする構成の開示はなく、またそれを示唆する記載もない。
　そして本件第１発明は、この構成によって甲第１号証ないし甲第４号証に記載の発明にはない明細書記載の格別の効果を奏するものと認めるから、同証拠に記載の発明から容易になし得たものとすることはできない。
　また、第２発明ないし第３発明は、いずれも第１発明を引用する従属発明であるから、同証拠に記載の発明から容易になし得たものとすることはできない。
（４）むすび
　以上のとおり、申立人が主張する各理由及び各証拠によっては、本件発明に係る特許を取り消すことはできない。
　さらに、本件発明に係る特許を取り消すべき他の理由を発見しない。
　よって、結論のとおり決定する。
【異議決定日】
平成１２年８月１０日（２０００．８．１０）
【訂正の要旨】
訂正の要旨
１．特許請求の範囲の訂正
「【請求項１】遊技盤等の所要部材（５）に圧入により装着される遊技部品であって、前記所要部材（５）に前側から圧入される基部（２３）と、該基部（２３）側に前側から着脱自在に装着された表層部（２４）とを備え、前記基部（２３）内に、該基部（２３）を前記所要部材（５）に装着した状態で前側から交換可能に内部部品（３７）を設けたことを特徴とする遊技部品。」を、
「【請求項１】遊技盤等の所要部材（５）に圧入により装着される遊技部品であって、前記所要部材（５）に前側から圧入される基部（２３）と、該基部（２３）側に前側から着脱自在に装着された表層部（２４）とを備え、前記基部（２３）内に、該基部（２３）を前記所要部材（５）に装着した状態で前側から交換可能に内部部品（３７）を設け、前記基部（２３）は、前側が開放し且つ前記所要部材（５）の装着孔（２２）に前側から嵌合される略有底円筒状の嵌合胴部（２８）と、該嵌合胴部（２８）の前端側の外周に一体に形成され且つ前記所要部材（５）の前面に当接される当接板（２９）とを備え、前記表層部（２４）は、前記当接板（２９）に前側から当接して着脱自在に固定される前飾り板（４３）を備え、前記内部部品（３７）は、前記嵌合胴部（２８）内の後端側の基板（３６）に前側から着脱自在であることを特徴とする遊技部品。」と訂正する。
２．発明の詳細な説明の欄の訂正
（１）訂正事項１
「【００１３】
　【課題を解決するための手段】
　本発明は、遊技盤等の所要部材５に圧入により装着される遊技部品であって、前記所要部材５に前側から圧入される基部２３と、該基部２３側に前側から着脱自在に装着された表層部２４とを備え、前記基部２３内に、該基部２３を前記所要部材５に装着した状態で前側から交換可能に内部部品３７を設けている。」を、
「【００１３】
　【課題を解決するための手段】
　本発明は、遊技盤等の所要部材５に圧入により装着される遊技部品であって、前記所要部材５に前側から圧入される基部２３と、該基部２３側に前側から着脱自在に装着された表層部２４とを備え、前記基部２３内に、該基部２３を前記所要部材５に装着した状態で前側から交換可能に内部部品３７を設け、前記基部２３は、前側が開放し且つ前記所要部材５の装着孔２２に前側から嵌合される略有底円筒状の嵌合胴部２８と、該嵌合胴部２８の前端側の外周に一体に形成され且つ前記所要部材５の前面に当接される当接板２９とを備え、前記表層部２４は、前記当接板２９に前側から当接して着脱自在に固定される前飾り板４３を備え、前記内部部品３７は、前記嵌合胴部２８内の後端側の基板３６に前側から着脱自在である。」と訂正する。
（２）訂正事項２
「【００１９】
　ランプ風車２０は、図２乃至図７に示すように、遊技盤５に対する取り付け部となる基部２３側と、この基部２３に前側から着脱自在に装着される表層部２４とを備え、基部２３が遊技盤５の装着孔２２に前側から圧入によって着脱自在装着されている。」を、
「【００１９】
　ランプ風車２０は、図２乃至図７に示すように、遊技盤５に対する取り付け部となる基部２３側と、この基部２３に前側から着脱自在に装着される表層部２４とを備え、基部２３が遊技盤５の装着孔２２に前側から圧入によって着脱自在に装着されている。」と訂正する。
（５４）【発明の名称】
遊技部品
（５７）【特許請求の範囲】
　　【請求項１】　遊技盤等の所要部材（５）に圧入により装着される遊技部品であって、前記所要部材（５）に前側から圧入される基部（２３）と、該基部（２３）側に前側から着脱自在に装着された表層部（２４）とを備え、前記基部（２３）内に、該基部（２３）を前記所要部材（５）に装着した状態で前側から交換可能に内部部品（３７）を設け
、前記基部（２３）は、前側が開放し且つ前記所要部材（５）の装着孔（２２）に前側から嵌合される略有底円筒状の嵌合胴部（２８）と、該嵌合胴部（２８）の前端側の外周に一体に形成され且つ前記所要部材（５）の前面に当接される当接板（２９）とを備え、前記表層部（２４）は、前記当接板（２９）に前側から当接して着脱自在に固定される前飾り板（４３）を備え、前記内部部品（３７）は、前記嵌合胴部（２８）内の後端側の基板（３６）に前側から着脱自在である
　　【請求項２】　前記基部（２３）側に、遊技盤（５）の装着孔（２２）に嵌合し且つ内側に前記内部部品（３７）が前側から組み込まれた嵌合胴部（２８）と、該嵌合胴部（２８）の外周側に突出し且つ該嵌合胴部（２８）の内外方向に弾性変形可能な周方向に複数個の圧入爪（３０）とを備えたことを特徴とする請求項１に記載の遊技部品。
　　【請求項３】　前記基部（２３）が前記所要部材（５）に対して前側から着脱自在であることを特徴とする請求項１又は２に記載の遊技部品。
【発明の詳細な説明】
　　　【０００１】
　　【発明の属する技術分野】
　本発明は、パチンコ機、アレンジボール機、その他の弾球遊技機、回胴式遊技機を含む各種の遊技機に使用する遊技部品に関するものである。
　　　【０００２】
　　【従来の技術】
　パチンコ機、アレンジボール機等の弾球遊技機においては、遊技盤にガイドレールを装着し、このガイドレールの内側に入賞手段、変動図柄表示手段、ランプ風車、コーナーランプ等の各種の遊技部品を配置している。
　　　【０００３】
　この種の遊技部品を遊技盤に装着する装着形態として圧入方法を採用したものが提案されている。例えば通常のランプ風車は、遊技盤の装着孔に嵌合する嵌合胴部内にランプ等の内部部品を組み込むと共に、風車体を支持する支軸を嵌合胴部側のボス部に前側から挿入し、支軸の後端をボス部の裏側でクリップ等の抜け止め具で抜け止めしている。
　　　【０００４】
　この種のランプ風車に圧入方式を採用する場合、嵌合胴部の前端側にフランジ状の前飾り板を設けると共に、この前飾り板の左右両側から後方に突出する一対の圧入ピンを設け、各圧入ピンの先端側を遊技盤のピン孔の開口側を当てた状態で基部側を遊技盤側に押圧して、嵌合胴部を装着孔に嵌合させながら圧入ピンをピン孔に圧入し、前飾り板が遊技盤の前面に当接するように装着する。
　　　【０００５】
　　【発明が解決しようとする課題】
　圧入式のランプ風車は、装着作業時にネジの締め付け作業が不要であって、遊技盤に対する装着が非常に容易になる利点がある。
　　　【０００６】
　しかし、この圧入式のランプ風車では、遊技盤に装着した後にランプ等の内部部品が故障した場合に、ランプ風車全体を遊技盤から取り外して修理を行う必要があり、その取り外しが困難であると共に、修理後のランプ風車を遊技盤に確実に固定し得ない欠点がある。
　　　【０００７】
　即ち、前飾り板の左右両側の圧入ピンを遊技盤のピン孔に圧入しているため、ランプ風車を遊技盤から取り外す場合には、遊技盤の裏側からランプ風車の嵌合胴部側を叩きながら、その左右両側の圧入ピンを遊技盤のピン孔から抜き取る方法を取る。
　　　【０００８】
　このためランプ風車の修理に際しては、遊技盤を前枠等から取り外す必要があるのは勿論のこと、遊技盤の裏側にある主基板ケース、裏カバー等の全てを取り外す必要がある。従って、遊技盤の前側に装着されたランプ風車等の一部の遊技部品を修理し又は交換する場合でも、その遊技部品だけの着脱に収まらず、遊技盤の前後両側に装着された各構成部材に及ぶことになり、作業が非常に煩雑で煩わしくなる欠点がある。
　　　【０００９】
　また嵌合胴部を裏側から叩いても、圧入ピンが遊技盤のピン孔から抜け難く、ピン孔からの圧入ピンの抜き取りが困難であると共に、場合によっては前飾り板が損傷したり、前飾り板と圧入ピンとの間に亀裂が生じたりする問題がある。
　　　【００１０】
　更に遊技盤は一般的にベニヤ材等の板材により構成されているため、圧入ピンを一旦ピン孔に圧入すれば、遊技盤側のピン孔が圧入ピンによって変形して大きくなり、そのピン孔に同じ圧入ピンを挿入しても緩くなって、圧入ピンの締まり状態が低下してガタツキが生じる等、ランプ風車を確実に固定できない欠点がある。
　　　【００１１】
　これは、遊技盤をベニヤ材等の板材を使用している限り、他の圧入構造を採用しても同様である。
　　　【００１２】
　本発明は、このような従来の課題に鑑み、遊技盤等の所要部材に対して圧入式で容易に装着できると共に、基部側を除く他の部分に故障等が生じたときには、所要部材から基部側を取り外すことなく、故障部分を所要部材の前側から容易に修理できる遊技部品を提供することを目的とする。
　　　【００１３】
　　【課題を解決するための手段】
　本発明は、遊技盤等の所要部材５に圧入により装着される遊技部品であって、前記所要部材５に前側から圧入される基部２３と、該基部２３側に前側から着脱自在に装着された表層部２４とを備え、前記基部２３内に、該基部２３を前記所要部材５に装着した状態で前側から交換可能に内部部品３７を設け
、前記基部２３は、前側が開放し且つ前記所要部材５の装着孔２２に前側から嵌合される略有底円筒状の嵌合胴部２８と、該嵌合胴部２８の前端側の外周に一体に形成され且つ前記所要部材５の前面に当接される当接板２９とを備え、前記表層部２４は、前記当接板２９に前側から当接して着脱自在に固定される前飾り板４３を備え、前記内部部品３７は、前記嵌合胴部２８内の後端側の基板３６に前側から着脱自在である。
　　　【００１４】
　　【発明の実施の形態】
　以下、本発明の実施の形態を図面に基づいて詳述する。
　　　【００１５】
　図１乃至図７は本発明の第１の実施形態を例示する。図１はパチンコ機の全体を示し、図１において、１は機枠で、前面側に開閉自在に枢着された前枠２を備えている。前枠２にはガラス扉３及び前面板４が開閉自在に装着され、これらに対応して前枠２の裏側に遊技盤５が着脱自在に装着されている。
　　　【００１６】
　前面板４には上皿６が装着され、この上皿６の前縁部に、上皿６内の遊技球を抜き取る球抜きレバー７が設けられている。前枠２の下部には下皿８と発射手段９の発射ハンドル１０とが設けられている。発射手段９は、発射ハンドル１０を操作した時に、上皿６から１個づつ発射部に供給される遊技球を打撃槌で打撃して遊技盤５側に発射させるようになっている。
　　　【００１７】
　遊技盤５は、ベニヤ板等を略正方形状に切断したものであって、発射手段９により発射された遊技球を案内するガイドレール１１が環状に装着され、そのガイドレール１１の内側の遊技領域に天人球手段１２、変動図柄表示手段１３、始動入賞手段１４、左上入賞手段１５、右上入賞手段１６、左下入賞手段１７、右下入賞手段１８、大入賞手段１９及びランプ風車２０等の各遊技部品が配置され、また大入賞手段１９の下側中央にアウト球口２１が形成されている。
　　　【００１８】
　ランプ風車２０は、変動図柄表示手段１３の下側の左右両側に配置され、図２乃至図６に示すように遊技盤５に形成された装着孔２２に前側から圧入して装着されている。
※　　【００１９】
　ランプ風車２０は、図２乃至図７に示すように、遊技盤５に対する取り付け部となる基部２３側と、この基部２３に前側から着脱自在に装着される表層部２４とを備え、基部２３が遊技盤５の装着孔２２に前側から圧入によって
着脱自在に装着
　　　【００２０】
　装着孔２２は、図３及び図５に示すように、ランプ風車２０の装着位置において、遊技盤５の前後方向に貫通するように形成されている。装着孔２２には、前側の小径部２５と裏側の大径部２６とを同心状に備え、その小径部２５と大径部２６との間に段状の圧接受け部２７となっている。なお、圧接受け部２７は遊技盤５の厚さ方向の中間、例えば略中央部に位置している。また遊技盤５には、装着孔２２の周方向の所要位置、例えば左右対称位置に前後方向の位置決め凹部３５が形成されている。
　　　【００２１】
　基部２３は、図３、図４、図６及び図７に示すように、有底円筒状の嵌合胴部２８と、この嵌合胴部２８の前端側の外周に一体に形成されたフランジ状の当接板２９とを備え、嵌合胴部２８が遊技盤５の装着孔２２に前側から嵌合され、当接板２９が遊技盤５の前面に当接されている。嵌合胴部２８は前側が開放する略有底円筒状であって、この嵌合胴部２８側には圧入爪３０と位置決め突部３１とが形成され、また前面側の内周に取り外し用の係合部３２が形成されている。なお、嵌合胴部２８は、遊技盤５の厚さと略同程度の寸法である。
　　　【００２２】
　圧入爪３０は、図３、図６及び図７に示すように、周方向に所定間隔（例えば等間隔）をおいて２個又は３個以上の複数個（例えば４個）あり、嵌合胴部２８の内外方向に弾性変形可能に当接板２９側から裏側に向かって一体に形成されている。圧入爪３０は一部が嵌合胴部２８の外周面より径方向の外側に突出しており、その突出部分の後端側に圧入用の傾斜案内面３３が、この傾斜案内面３３と当接板２９との間に圧接面３４が夫々形成され、圧接面３４が遊技盤５の装着孔２２の圧接受け部２７に内側から当接されている。
　　　【００２３】
　位置決め突部３１は、遊技盤５側の位置決め凹部３５に対応して嵌合胴部２８の前側部分の外周に２個あり、位置決め凹部３５に前側から嵌脱自在に嵌合して基部２３の周方向に位置決めするようになっている。
　　　【００２４】
　係合部３２は、図３及び図６に示すように、周方向に所定間隔（例えば等間隔）をおいて２個以上の複数個、例えば圧入爪３０に対応して４個あり、基部２３の抜き取り時に適宜工具を係合できるように、嵌合胴部２８の前端側から径方向の内側に突出している。なお、この係合部３２は、圧入爪３０以外の位置で嵌合胴部２８に形成された径方向の孔により構成することも可能である。
　　　【００２５】
　嵌合胴部２８内には、図３及び図６に示すように、内部部品、例えば基板３６に装着された発光ダイオード等の発光体３７が前側から着脱自在に組み込まれている。発光体３７は例えば左右に２個あり、その各発光体３７はソケット３８、端子ピン３９等を介して基板３６の前側に着脱自在に装着されている。基板３６は円形状であって、嵌合胴部２８に対して前側から着脱できるように、外周側に各係合部３２に対応する切り欠き部４０を有し、嵌合胴部２８内の後端側で取り付け部４１にネジ４２ａ等によって着脱自在に固定されている。なお、基板３６は図外のリード線を有し、そのリード線は嵌合胴部２８の底壁部４２側に形成された開口等から遊技盤５の裏側に引き出されている。
　　　【００２６】
　表層部２４は、図２、図３、図６及び図７に示すように、支持板兼用の前飾り板４３と、この前飾り板４３の前側に配置された風車体４４と、この風車体４４と回転自在に軸支する支軸４５とを備えている。前飾り板４３は、発光体３７に対応するレンズ部４６を有し、基部２３側の当接板２９に対して前側から当接され且つネジ４７により前側から着脱自在に固定されている。ネジ４７は前飾り板４３の左右両側に２個あり、基部２３側の位置決め突部３１に螺合されている。レンズ部４６は前飾り板４３に一体に設けても良い。
　　　【００２７】
　風車体４４は、図２、図３、図６及び図７に示すように、円板部４８と、この円板部４８の中心から後方に突出するボス部４９と、円板部４８とボス部４９とに跨がって配置された周方向に３個の翼部５０とを一体に備え、着色透明等の合成樹脂材料により成形されている。支軸４５は風車体４４のボス部４９に前側から挿通され、その後端部が前飾り板４３の中心の軸受け部５１に挿入されている。
　　　【００２８】
　上記構成のランプ風車２０を遊技盤５に装着する場合には、次のような方法で圧入する。先ず基部２３側の嵌合胴部２８の後端側を遊技盤５の装着孔２２に前側から嵌合させて、各圧入爪３０の後端側の傾斜案内面３３を装着孔２２の前端側の内周に当接させる。この時、位置決め突部３１を遊技盤５の位置決め凹部３５に対応させておく。
　　　【００２９】
　次に表層部２４の前飾り板４３を前側から遊技盤５側へと押圧して圧入する。すると傾斜案内面３３によって圧入爪３０に径方向の内側への分力が働き、各圧入爪３０がその弾性によって内側に変形し、各圧入爪３０が装着孔２２の小径部２５内に入り、この小径部２５の内面に沿って裏側へと摺動する。そして、基部２３の当接板２９が遊技盤５の前面に当接するまで押し込むと、位置決め突部３１が位置決め凹部３５に嵌合して基部２３側の周方向の位置が定まった後、各圧入爪３０の後端側が装着孔２２の小径部２５側から圧接受け部２７を越えて大径部２６側に突出して、各圧入爪３０の圧接面３４がその弾性力により圧接受け部２７に内側から圧接し、基部２３側を遊技盤５に固定できる。従って、ランプ風車２０を遊技盤５の前側から圧入法によって容易に装着できる。
　　　【００３０】
　しかも、圧入爪３０が嵌合胴部２８の周方向に等間隔をおいて複数個、例えば４個あり、この各圧入爪３０が遊技盤５の圧接受け部２７に内側から圧接しているので、基部２３側のガタツキ等を防止できる。また基部２３側は、その位置決め突部３１が遊技盤５側の位置決め凹部３５に嵌合することにより位置決めされているので、ランプ風車２０を遊技盤５の所定位置に確実に位置決めした状態で圧入できる。
　　　【００３１】
　ランプ風車２０を遊技盤５に装着した後において、その発光体３７が損傷する等、嵌合胴部２８内の内部部品に故障が生じた場合には、基部２３側を遊技盤５に取り付けた状態のままで前面側の表層部２４を取り外して、遊技盤５の前面側から嵌合胴部２８内の内部部品を交換する等の修理を行う。
　　　【００３２】
　即ち、先ず左右一対のネジ４７を外して表層部２４の前飾り板４３を基部２３の当接板２９から取り外す。すると前飾り板４３と風車体４４と支軸４５とを含む表層部２４が基部２３から外れ、嵌合胴部２８の前端側が開放状態になる。従って、例えば発光体３７を交換する場合には、遊技盤５の前側から嵌合胴部２８内に指を挿入して発光体３７をソケット３８と一緒に取り外せば良く、基部２３側を遊技盤５に装着したままで容易に交換できる。
　　　【００３３】
　特に基部２３を遊技盤５に装着したままで表層部２４を取り外すことにより、基部２３内の内部部品の交換等が可能であるため、基部２３を遊技盤５の装着孔２２に圧入により装着する構造であるにも拘らず、装着孔２２側の圧入爪３０が圧接する圧接部分等を含む圧入部分側の緩みを防止できる。このため、内部部品を修理する都度、基部２３側の圧入状態が変化するようなこともなく、基部２３を強固に固定できる。
　　　【００３４】
　風車体４４が損傷した場合には、前飾り板４３から前側の表層部２４の全体を基部２３から取り外して交換しても良いし、また表層部２４側を取り外した後に、支軸４５を抜いて風車体４４を交換しても良い。そして、新しい表層部２４、又は風車体４４を交換した後の表層部２４は、その前飾り板４３を基部２３の当接板２９に当接させてネジ４７で止めることにより基部２３側に固定すれば良い。
　　　【００３５】
　基部２３側を含むランプ風車２０全体を遊技盤５から取り外す場合には、遊技盤５の裏側から基部２３を前側に押圧しても良い。また表層部２４を取り外した後に、基部２３を遊技盤５から取り外す必要が生じた場合には、遊技盤５の前側から嵌合胴部２８内に適宜工具を挿入して、その工具を係合部３２に引っかけて前方に引っ張れば良い。これによって圧入爪３０が内側に弾性変形して、嵌合胴部２８を装着孔２２から遊技盤５の前側へと容易に抜き取ることができる。
　　　【００３６】
　嵌合胴部２８の周方向に４個の圧入爪３０を設け、この圧入爪３０を遊技盤５の装着孔２２の圧接受け部２７に圧接させているので、遊技盤５に圧入ピン用のピン孔等を設ける必要がなく、遊技盤５側の孔加工が容易である。
　　　【００３７】
　なお、この第１の実施形態では、圧入爪３０の外側に圧接面３４が傾斜状にあるので、図３に仮想線で示すように、この圧接面３４に対応して当接板２９及び前飾り板４３に小孔５１ａを形成しておき、その当接板２９の前面側から小孔５１ａに離脱操作用のピン５２を挿入し、このピン５２の先端側を圧接面３４と装着孔２２の内周との間に押し込むことにより、圧入爪３０の圧接面３４を装着孔２２の圧接受け部２７から離脱させるようにしても良い。
　　　【００３８】
　このようにすれば、表層部２４を基部２３に装着したままの状態でその表層部２４を前側へと引っ張ることにより、ランプ風車２０の全体を遊技盤５の装着孔２２から取り外すことができる。
　　　【００３９】
　図８は本発明の第２の実施形態を例示し、この実施形態では、遊技盤５の前面側で装着孔２２の外周側に凹部５３が形成され、その凹部５３内に当接板２９が嵌合され、この当接板２９等を表層部２４の前飾り板４３で覆うように、前飾り板４３の外周側が遊技盤５の前面に当接されている。
　　　【００４０】
　この実施形態では、前飾り板４３が遊技盤５の前面に当接するため、第１の実施形態に比較して前飾り板４３の遊技盤５からの突出量を少なくできる。
　　　【００４１】
　図９及び図１０は本発明の第３の実施形態を例示し、この実施形態では、嵌合胴部２８から後方に突出するように周方向に複数個（例えば４個）の圧入爪３０が設けられ、この圧入爪３０には、傾斜案内面３３と圧接面３４とを有する突部５４が後端側に、離脱操作部５５が中間部に夫々形成されている。圧入爪３０の圧接面３４は遊技盤５の装着孔２２の後端側に内側から当接されており、その装着孔２２の後端側の内周が圧接受け部２７となっている。離脱操作部５５は傾斜状に形成され、この離脱操作部５５に対応して当接板２９及び前飾り板４３に操作用の小孔５１ａが形成されている。
　　　【００４２】
　この実施形態では、嵌合胴部２８が遊技盤５の装着孔２２に嵌合した状態で、各圧入爪３０の圧接面３４が圧接受け部２７に内側から当接するため、第１の実施形態と同様に、基部２３を圧入により遊技盤５に容易に装着できる。
　　　【００４３】
　基部２３側を含むランプ風車２０の全体を遊技盤５から取り外す場合には、小孔５１ａからピン５２等の工具を装着孔２２の内面に沿って前側から挿入し、その先端を離脱操作部５５に押し当てると、離脱操作部５５が傾斜面状になっているため、圧入爪３０が内側に弾性変形して突部５４の圧接面３４が圧接受け部２７から離脱する。従って、その状態でランプ風車２０を前側に引っ張れば、基部２３側を遊技盤５の装着孔２２から前側へと容易に抜き取ることができる。
　　　【００４４】
　以上、本発明の各実施形態について説明したが、本発明はこれに限定されるものではない。
　　　【００４５】
　例えば、実施形態では、嵌合胴部２８の周方向に４個の圧入爪３０を設けているが、この圧入爪３０は２個以上の複数個であれば良く、また各圧入爪３０間の間隔は等間隔でも良いし、間隔に若干の違いがあっても良い。
　　　【００４６】
　また圧入爪３０の形状は、各実施形態に例示する二種類以外の形状、構造を採用しても良い。その他、圧入爪３０による他、圧入ピンを嵌合胴部２８の両側で当接板２９に一体に設けても良い。
　　　【００４７】
　実施形態では表層部２４の前飾り板４３を基部２３の当接板２９に当接させてネジ４７で固定する構造を際ようしているが、表層部２４は基部２３に対して圧入等の嵌め合い構造で着脱自在に結合しても良い。
　　　【００４８】
　本発明は、実施形態のランプ風車２０の他、入賞手段、その他の各遊技部品においても同様に実施することが可能である。
　　　【００４９】
　また本発明における遊技部品は、遊技盤５に装着するランプ風車２０、入賞手段等の他、前枠２に装着する装飾ランプ等も包含し、それらの各遊技部品の前枠２等の所要部材に装着する装着構造においても、前述と同様に採用することが可能である。
　　　【００５０】
　またパチンコ機、アレンジボール機等の弾球遊技機は勿論のこと、回胴式遊技機等の各種の遊技機においても実施可能であることは言うまでもない。
　　　【００５１】
　　【発明の効果】
　本発明では、遊技盤等の所要部材５に圧入により装着される遊技部品であって、所要部材５に前側から圧入される基部２３と、この基部２３側に前側から着脱自在に装着された表層部２４とを備えているので、所要部材５に対して圧入式で容易に装着できると共に、基部２３側を除く他の部分に故障等が生じた場合には、所要部材５から基部２３側を取り外すことなく、故障部分を所要部材５の前側から容易に修理できる利点がある。
　しかも基部２３内に、この基部２３を所要部材５に装着した状態で前側から交換可能に内部部品３７を設けているため、表層部２４を基部２３から取り外すことによって内部部品３７を容易に着脱でき、内部部品３７の交換のために基部２３側を所要部材５から取り外す必要がない。
　　　【００５２】
　また基部２３側に、遊技盤５の装着孔２２に嵌合し且つ内側に内部部品３７が前側から組み込まれた嵌合胴部２８と、この嵌合胴部２８の外周側に突出し且つ嵌合胴部２８の内外方向に弾性変形可能な周方向に複数個の圧入爪３０とを備えているので、基部２３の構造が簡単であると共に、嵌合胴部２８を装着孔２２に嵌め込むことによって基部２３側を遊技盤５に圧入でき、しかも遊技盤５の装着孔２２に嵌合胴部２８が嵌合した状態のままでも、嵌合胴部２８の内部の内部部品３７の修理を容易に行える利点がある。
　　　【００５３】
　また嵌合胴部２８の周方向に複数個の圧入爪３０を設けているので、遊技盤５に圧入ピン用のピン孔等を設ける必要がなく、遊技盤５側の孔加工が容易である。
　　　【００５４】
　更に基部２３が所要部材５に対して前側から着脱自在であるため、基部２３側を所要部材５に対して前側から容易に着脱できる。
【図面の簡単な説明】
　　【図１】
　本発明の第１の実施形態を示す弾球遊技機の正面図である。
　　【図２】
　本発明の第１の実施形態を示すランプ風車の装着状態の正面図である。
　　【図３】
　本発明の第１の実施形態を示すランプ風車の断面図である。
　　【図４】
　本発明の第１の実施形態を示すランプ風車の一部破断正面図である。
　　【図５】
　本発明の第１の実施形態を示す遊技盤の要部の正面図である。
　　【図６】
　本発明の第１の実施形態を示すランプ風車の分解斜視図である。
　　【図７】
　本発明の第１の実施形態を示すランプ風車の分解図である。
　　【図８】
　本発明の第２の実施形態を示すランプ風車の要部の断面図である。
　　【図９】
　本発明の第３の実施形態を示すランプ風車の装着状態の断面図である。
　　【図１０】
　本発明の第３の実施形態を示すランプ風車の分解斜視図である。
　　【符号の説明】
　５　　遊技盤
　２２　装着孔
　２３　基部
　２４　表層部
　２８　嵌合胴部
　３０　圧入爪
　３７　内部部品